(57)【要約】【課題】  本発明の目的は、簡易な方法でマウント部から撮像部までの相対位置ずれと、マウント部から接点ユニットまでの相対位置ずれを所定の範囲内に抑え、なおかつ、接点ユニットを確実に固定してレンズとカメラ間の安定した電気信号通信を行うことができる、レンズ交換カメラを提供することである。【解決手段】  交換レンズの接続端子に当接するカメラ本体の接続端子を有する接点ユニットが、撮像ユニット保持部材の裏面から、ビスで固定することによって該撮像ユニット保持部材に対して光軸方向を固定され、該接点ユニットが該撮像ユニット保持部材へ固定される部分は、マウント部の光軸方向に投影される領域にあることを特徴とした。【選択図】  図７
2015031727.tif 000002
【特許請求の範囲】
【請求項１】
交換レンズの接続端子に当接するカメラ本体の接続端子を有する接点ユニットが、撮像ユニット保持部材の裏面から、ビスで固定することによって該撮像ユニット保持部材に対して光軸方向を固定され、該接点ユニットが該撮像ユニット保持部材へ固定される部分は、マウント部の光軸方向に投影される領域にあることを特徴とするレンズ交換型カメラ。
【請求項２】
該接点ユニットと該撮像ユニット保持部材の、光軸に直交する方向は、それぞれマウント部に対して位置決めされ、該マウント部と該接点ユニットの光軸に沿った方向は、それぞれ該撮像ユニット保持部材に対して位置決めされることを特徴とする、請求項１に記載のレンズ交換型カメラ。
【請求項３】
該接点ユニットと該撮像ユニット保持部材の一方にボスが設けられ、他方には該ボスと同軸に構成され、該ボスの径よりも大きな穴部があることを特徴とする、請求項２に記載のレンズ交換型カメラ。
【発明の詳細な説明】
【技術分野】
【０００１】
本発明は、レンズ交換型カメラの、レンズ取り付けマウントに関するものである。
【背景技術】
【０００２】
従来、望遠写真や近接写真、特殊効果を施した写真を撮影するといった用途に応じてレンズを交換する、レンズ交換式のカメラが存在する。このようなカメラは、レンズから取り込んだ光を電気信号に変換する撮像部を備える。レンズと撮像部は所定の位置精度を確保する必要がある。すなわちカメラ側は、マウント部から撮像部までの位置精度を所定内に収めていなければならない。また、このようなカメラには、略筒型のレンズを当接位置まで押入した後に、光軸を回転軸として所定角度回転させて係止、装着するバヨネット式マウントが設けられているものがある。レンズのカメラに対向する面には、カメラ本体と信号通信を行うための接続端子が複数設けられている。一方、カメラ側には、レンズ装着時にレンズ側接続端子とそれぞれ当接する位置に接続端子が設けられていて、レンズを装着すると、レンズ側接続端子とカメラ側接続端子が接合し、電気信号通信を行うことができる。カメラ側接続端子は、光軸方向に関して、レンズ側マウント部の長さだけ、カメラ側マウント部から撮像部に近づいた位置に配置される。カメラは、電気信号通信を介して、ズーミングやオートフォーカスなどのレンズ駆動制御を行うことができる。
【０００３】
複数の接続端子はレンズ側・カメラ側ともに、組み付け作業の簡易化のために樹脂材部品などで一体化された接点ユニットとして供給される。接点ユニットは精密な部品群から成り、レンズからの外力を直接伝えないために、マウント部に直接固定されないことが望ましい。また、電気信号通信の安定化のために、レンズ側接続端子とカメラ側接続端子の相対ズレを小さくする必要があり、カメラ側については、レンズを装着するマウント部と接点ユニットの位置精度が確保されていなければならない。
【０００４】
近年、レンズ交換カメラの小型化に伴う接続端子ピッチの縮小化と、レンズ多機能化による信号数増加に伴い、マウント部と接点ユニット間は、ますます高い位置精度が要求されている。
【０００５】
この問題に対し、従来のレンズ交換カメラには、マウント部に対して位置決めされる接点ユニットを備えるカメラがある（例えば、特許文献１参照）。
【０００６】
以下、図１７、１８により、従来のレンズ交換カメラについて説明する。
【０００７】
図１７は、従来技術にかかるレンズ交換カメラの内部構造を示す分解斜視図である。図１８は、従来技術にかかるレンズ交換カメラの内部構造を示す、他の方向から見た分解斜視図である。８はマウント部、９は接点ユニット、１０は撮像ユニット保持部材である。接点ユニット９は、ゴムブッシュ９−１を介して、ビス９−２で撮像ユニット保持部材１０にフローティング保持される。接点ユニット９の光軸方向に直交する面内の位置は、マウント部に設けられたボス８−１と接点ユニット９に設けられた穴９−３とが嵌合することにより決まる。接点ユニット９がゴムブッシュ９−１によりフローティング保持されていることにより、マウント部８の組み込み時に接点ユニットがボス８−１と穴９−３とが嵌合する位置まで移動することができる。
【先行技術文献】
【特許文献】
【０００８】
【特許文献１】特開２０１１−７５６９７
【発明の概要】
【発明が解決しようとする課題】
【０００９】
しかしながら、従来技術にかかるレンズ交換カメラでは、接点ユニットが撮像ユニット保持部材に対して自由に動いてしまうため、接点ユニットに設けられた接続端子とレンズ接続端子との相対位置がずれて、接続が安定しない。つまり接点ユニットは、撮像ユニット保持部材に確実に固定されていなければならない。
【００１０】
ところで近年、図１９、図２０に示すように、光学ファインダー２０と交換レンズ１１から取り込んだ光を光学ファインダー２０に誘導するミラー１９を廃止して、カメラの小型化を図ったカメラが存在する。このようなカメラの場合、図２１に示すように、接点ユニット１３のすぐ後ろにシャッターユニット１４が配置されるため、接続端子１３−１が配置可能な領域１３−２は、接点ユニット１３を撮像ユニット保持部材１５に固定するビスの長さを確保できない。
【００１１】
そこで、本発明の目的は、簡易な方法で、マウント部から撮像部までの相対位置ずれと、マウント部から接点ユニットまでの相対位置ずれを所定の範囲内に抑えるレンズ交換カメラを提供することである。さらに、接点ユニットを確実に固定してレンズとカメラ間の安定した電気信号通信を行うことができる、レンズ交換カメラを提供することである。
【課題を解決するための手段】
【００１２】
上記目的を達成するために、本発明によるレンズ交換カメラは、交換レンズの接続端子に当接するカメラ本体の接続端子を有する接点ユニットが、撮像ユニット保持部材の裏面から、ビスで固定することによって該撮像ユニット保持部材に対して光軸方向を固定され、該接点ユニットが該撮像ユニット保持部材へ固定される部分は、マウント部の光軸方向に投影される領域にあることを特徴とする。
【００１３】
また、本発明の他の特徴とするところは、該接点ユニットと該撮像ユニット保持部材の、光軸に直交する方向は、それぞれマウント部に対して位置決めされ、該マウント部と該接点ユニットの光軸に沿った方向は、それぞれ該撮像ユニット保持部材に対して位置決めされることを特徴とする。
【００１４】
また、本発明の他の特徴とするところは、該接点ユニットと該撮像ユニット保持部材の一方にボスが設けられ、他方には該ボスと同軸に構成され、該ボスの径よりも大きな穴部があることを特徴とする。
【発明の効果】
【００１５】
本発明によれば、簡易な方法で、マウント部から撮像部までの相対位置ずれと、マウント部から接点ユニットまでの相対位置ずれを所定の範囲内に抑えることができるレンズ交換カメラを提供することができる。また、接点ユニットを確実に固定してレンズとカメラ間の安定した電気信号通信を行うことができるレンズ交換カメラを提供することができる。
【図面の簡単な説明】
【００１６】
【図１】カメラ本体と交換レンズを表す斜視図
【図２】カメラ本体に設けられた、マウントロックピンとロック解除部材を表す概念図
【図３】交換レンズを表す斜視図
【図４】カメラ本体に交換レンズを装着した状態を示す斜視図
【図５】マウントロックピンとロック解除部材が連動していることを表す図
【図６】カメラ本体を表す斜視図
【図７】カメラの内部構造の分解斜視図
【図８】カメラの内部構造を他の方向から見た分解斜視図
【図９】接点ユニットと撮像ユニット保持部材の仮位置決めを示す背面図
【図１０】接点ユニットとマウント部とのクリアランスを示す図
【図１１】接点ユニットを撮像ユニット保持部材に固定する手順を示す斜視図
【図１２】シャッターユニットを撮像ユニット保持部材に固定する手順を示す斜視図
【図１３】撮像ユニットを撮像ユニット保持部材にフローティング支持する手順を示す斜視図
【図１４】撮像ユニットの分解斜視図
【図１５】撮像保持部材を、撮像素子側から見た斜視図
【図１６】マウント部から撮像部までの位置ずれ要因を示す概念図
【図１７】従来技術にかかるレンズ交換カメラの内部構造を示す分解斜視図
【図１８】従来技術にかかるレンズ交換カメラの内部構造を示す別の分解斜視図
【図１９】第２の従来技術にかかる、カメラの内部構造の分解斜視図
【図２０】第２の従来技術にかかる、カメラの内部構造の別の分解斜視図
【図２１】第２の従来技術にかかる、カメラの内部構造を別の方向から見た、分解斜視図
【発明を実施するための形態】
【００１７】
以下に、本発明の好ましい実施の形態を、添付の図面に基づいて詳細に説明する。
【００１８】
以下、図１から図１６を参照して、本発明の実施例にかかるレンズ交換カメラについて説明する。
【００１９】
図１は、本発明の実施例にかかる交換レンズとカメラを表す斜視図である。１は交換レンズであり、内部には交換レンズ１の仕様に応じて、ズーム機構や手振れ補正機構などが搭載される。カメラ本体２の前面にはマウント部３が設けられている。マウント部３は中心に開口部３−１を持つ円環形状をしており、円周部に対物側に突出したマウントロックピン４−１が設けられている。２−１はロック解除ボタンである。図２はマウントロックピン４−１とロック解除ボタン２−１の関係を示す概念図である。マウントロックピン４−１はコイルバネ４−１−２によってカメラ本体２前方に付勢されており、ロック解除ボタン２−１を押すことで、後方に摺動可能である。ユーザはレンズ側指標１−１を本体側指標３−２に合わせて、交換レンズ１を矢印Ａ方向にマウント部３に当接する位置まで押入した後、矢印Ｂ方向に一定角度回転させ、公知のバヨネット構造で、交換レンズ１をカメラ本体２に装着可能である。すなわち交換レンズ１は、マウント開口部３−１によって位置決めされ、マウントロックピン４−１によって回動規制される。
【００２０】
図３は、交換交換レンズ１を、カメラ本体２に対向する側から見た斜視図である。１−２は公知のバヨネット構造に対応したレンズ側マウント部であり、１−２−１はマウントロック穴である。マウントロック穴１−２−１は、カメラ本体２への装着時に前述のマウントロックピン４−１に嵌合する。１−２−２はカメラ本体と信号通信を行うためのレンズ接続端子の部分である。
【００２１】
図４は、カメラ本体２に交換レンズ１を装着した状態を表す斜視図である。交換レンズ１は、撮像側マウント部当接面に設けられたマウントロック穴１−２−１にマウントロックピン４−１が係合することで、カメラ本体２に対する回動が規制される。交換レンズ１を取り外すときは、ロック解除ボタン２−１を押す。ロック解除ボタンは図５に示すように、マウントロックピン４−１と連動しており、マウントロックピン４−１とマウントロック穴１−２−１との回転規制が解除されるので、矢印Ｂ’方向に回転させた後、矢印Ａ’方向にレンズを移動させればよい。
【００２２】
図６は、カメラ本体２を表す斜視図である。マウント部３の開口部３−１には接点ユニット４が露出している。接点ユニット４には、レンズ側マウント部１−２を収納可能な大きさの該筒状の凹部が設けられ、凹部底面には、交換レンズ１装着状態において、レンズ側接続端子１−２−２と当接する位置に複数のカメラ側接続端子４−２が配置されている。レンズ装着時にレンズ側接続端子１−２−２とカメラ側接続端子４−２が当接することで、カメラ本体２は、交換レンズ１へ電力を共有するとともに、レンズ駆動制御を行うための信号通信を行う。
【００２３】
図７、図８は、カメラの内部構造を示す分解斜視図である。図７はマウント部側から見た斜視図であり、３は前述のマウント部、４は接点ユニット、５は撮像ユニット保持部材、６はシャッターユニット、７は撮像ユニットである。図８はそのうち、マウント部３、接点ユニット４、撮像ユニット保持部材５のみを、別の方向から見た分解斜視図である。以下、組み立て順に沿って、内部構造を説明する。４−３、４−４は接点ユニット４に設けられた１対のボスである。撮像ユニット保持部材５には、光軸方向投影面にボス４−３、４−４と同軸でほぼ一致する位置に、穴部である穴５−１と長穴５−２が設けられている。なお、ボスおよび穴部は接点ユニット４と撮像ユニット保持部材５それぞれの一方および他方のどちらにあってもよい。図９に示すように、穴５−１と長穴５−２はボス４−３、４−４に対して、微小なクリアランス５−３を持つような大きさとなっている。接点ユニット４はマウント部３側を上に向けた撮像ユニット保持部材５に対し、光軸Ｃと直交する面について、クリアランス５−３の範囲内で移動可能に組みつけられる。この時、接点ユニット４は撮像ユニット保持部材５に対し、光軸方向Ｃに関して、ビス座面４−５とビス穴開口部５−４とがそれぞれ当接する位置にある。ビス座面４−５とビス穴開口部５−４は、マウント部３の光軸方向Ｃ投影領域に重複する位置に設けられている。
【００２４】
マウント部３の裏面３−３には、２対の穴と長穴（３−４と３−５、３−６と３−７）が設けられている。また、撮像ユニット保持部材５には、１対の位置決めボス５−５、５−６が設けられている。さらに、接点ユニット４には、１対の位置決めボス４−６、４−７が設けられており、先端には面取り４−８が施されている。マウント部３の穴３−４と長穴３−５の対が、撮像ユニット保持部材５の１対の位置決めボス５−５、５−６にそれぞれ嵌合するように、マウント部３を組み込む。そうすると接点ユニット４は、面取り４−８がマウント部３の穴３−６と長穴３−７の縁部３−８に当接して、ボス４−６、４−７がマウント部３の穴３−６と長穴３−７に嵌合する位置に移動する。すなわち、接点ユニット４と撮像ユニット保持部材５は、それぞれマウント部３に対して、光軸Ｃと直交する面に関して、厳密に位置決めされる。マウント部３は、光軸方向Ｃに関して、マウント部３の裏面３−３が撮像ユニット保持部材５のビス座面５−７に当接する位置にある。しかし図１０に示すように、マウント部３と接点ユニット４の間にはクリアランス４−９があり、接点ユニット４はクリアランス４−９の範囲内で自由に移動することが出来る。そしてマウント部３の組み込み時に、マウント部３と撮像ユニット保持部材５に挟まれることなく、スムーズにマウント部３の穴３−６と長穴３−７との嵌合位置に移動可能である。また、クリアランス４−９があることで、接点ユニット４を挟み込むことなく、マウント部３を撮像ユニット保持部材５にビス３−９で強固に固定することができる。この後、撮像ユニット保持部材５と接点ユニット４、マウント部３から成るサブユニットを、裏返して撮像ユニット７が組まれる側を上に向ける。この時、マウント部３が既に固定されているため、接点ユニット４は脱落することはない。図１１に示すように接点ユニット４は、撮像ユニット７側からビス４−１０によって、撮像ユニット保持部材５に対して固定される。したがって、カメラ状態において、交換レンズ１（非図示）などからマウント部３にかかる外力が直接、接点ユニット４に伝わらない。また、撮像ユニット７側からビス固定するため、マウント部３の円環形状内部を、ビスに占有されることなく、接続端子を配置するための領域として活用することができる。
【００２５】
図１２に示すようにこの後、シャッターユニット６が撮像ユニット保持部材５に位置決めされてビス６−１で固定される。その後、図１３に示すように撮像ユニット７が、位置決め穴７−１と撮像ユニット保持部材５に設けられた位置決めボス５−８が嵌合することで位置決めされ、コイルバネ７−２とビス７−３によってフローティング保持される。
【００２６】
図１４は、撮像ユニット７の分解斜視図である。７−４は撮像素子、７−５は撮像素子保持部材である。また図１５は、撮像素子保持部材７−５を、撮像素子７−４側から見た斜視図である。撮像素子７−４は位置決め穴７−４−１と撮像素子保持部材７−５に設けられた位置決めボス７−５−１が嵌合することによって位置決めされ、撮像素子保持部材７−５にビス７−６で固定される。７−４−２は交換レンズ１（非図示）から入射した光を電気信号に変換する撮像部であり、位置決め穴７−４−１に対して、所定の位置精度で固定される。
【００２７】
すなわち概念図１６に示すように、接点ユニット４とマウント部３を直接位置決めしつつ、マウント部３から撮像素子７−４−２までの位置ずれの構成要素を、マウント部３、撮像ユニット保持部材５、撮像素子保持部材７−５、撮像素子７−４のみにする。そうすることで、マウント部３から撮像部７−４−２までの位置精度を確保することができる。
【００２８】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００２９】
１  交換レンズ
１−２−２  レンズ接続端子
２  カメラ本体
３  マウント部
４  接点ユニット
４−２  カメラ側接続端子
５  撮像ユニット保持部材
７  撮像ユニット
【図１】
2015031727.tif 000003
【図２】
2015031727.tif 000004
【図３】
2015031727.tif 000005
【図４】
2015031727.tif 000006
【図５】
2015031727.tif 000007
【図６】
2015031727.tif 000008
【図７】
2015031727.tif 000009
【図８】
2015031727.tif 000010
【図９】
2015031727.tif 000011
【図１０】
2015031727.tif 000012
【図１１】
2015031727.tif 000013
【図１２】
2015031727.tif 000014
【図１３】
2015031727.tif 000015
【図１４】
2015031727.tif 000016
【図１５】
2015031727.tif 000017
【図１６】
2015031727.tif 000018
【図１７】
2015031727.tif 000019
【図１８】
2015031727.tif 000020
【図１９】
2015031727.tif 000021
【図２０】
2015031727.tif 000022
【図２１】
2015031727.tif 000023